(57)【要約】【課題】コネクタの誤接続を抑止すること。【解決手段】複数の電池セル１２１を備えた電池モジュール１１０毎に設け、電池セル１２１の電池状態検出用の電池状態検出センサ１５１から引き出された電線１５２を配索し且つ保持する主保護具３と、並列配置された隣り合う２つの電池モジュール１１０の隣接位置に配置し、隣接位置まで配索されてきた電線１５２を電池モジュール１１０の外方で配索し且つ保持すると共に、電線１５２の端末のコネクタ１５４の嵌合対象となる相手方コネクタ１７０を保持する副保護具４と、隣接位置に配置し、隣接位置まで別経路で配索されてきたそれぞれの電線１５２毎に、電線１５２の相手方コネクタ１７０までの経路を規制する経路規制体８０と、を備えること。【選択図】図５
2019213377.tif 000002
【特許請求の範囲】
【請求項１】
複数の電池セルを備えた電池モジュール毎に設け、前記電池セルの電池状態検出用の電池状態検出センサから引き出された電線を配索し且つ保持する主保護具と、
並列配置された隣り合う２つの前記電池モジュールの隣接位置に配置し、前記隣接位置まで配索されてきた前記電線を前記電池モジュールの外方で配索し且つ保持すると共に、前記電線の端末のコネクタの嵌合対象となる相手方コネクタを保持する副保護具と、
前記隣接位置に配置し、前記隣接位置まで別経路で配索されてきたそれぞれの前記電線毎に、前記電線の前記相手方コネクタまでの経路を規制する経路規制体と、
を備えることを特徴とした保護装置。
【請求項２】
前記経路規制体は、前記隣接位置まで別経路で配索されてきたそれぞれの前記電線を各々の端末の前記コネクタの嵌合対象となる前記相手方コネクタに向けてそれぞれ案内すると共に、２つの前記コネクタが自らの嵌合対象とは逆の前記相手方コネクタに嵌合できないようそれぞれの前記電線の経路を規制するように形成することを特徴とした請求項１に記載の保護装置。
【請求項３】
前記経路規制体は、隣り合う２つの前記電池モジュールの配列方向で互いに間隔を空けて対向配置された複数の板状の壁部を有することを特徴とした請求項１又は２に記載の保護装置。
【請求項４】
前記経路規制体は、前記配列方向で隣り合う２つの前記壁部の間に周辺部品の壁体がそれぞれの前記壁部に対して前記配列方向で互いに間隔を空けて対向配置されるように、前記配列方向で隣り合う２つの前記壁部の間の前記間隔を形成することを特徴とした請求項３に記載の保護装置。
【請求項５】
前記電池セルの第１電池状態検出用の第１電池状態検出センサから引き出された第１電線を配索し且つ保持する第１主保護具と、前記電池セルの第２電池状態検出用の第２電池状態検出センサから引き出された第２電線を前記電池モジュールの内方で配索し且つ保持する第２主保護具と、を前記主保護具として備え、
前記副保護具は、前記隣接位置で前記電池モジュールから外方に引き出された前記電線としての前記第２電線を前記コネクタと共に前記相手方コネクタまで案内するように成形することを特徴とした請求項１から４の内の何れか１つに記載の保護装置。
【請求項６】
隣り合う２つの前記第１主保護具が有する被保持体同士を連結させる連結部材を前記隣接位置に備え、
前記経路規制体は、前記連結部材に設けることを特徴とした請求項５に記載の保護装置。
【発明の詳細な説明】
【技術分野】
【０００１】
本発明は、保護装置に関する。
【背景技術】
【０００２】
従来、電気自動車やハイブリッド車等の車両には、その駆動源となる回転機に対して給電を行ったり、その回転機で生成された回生電力を充電したりするための電池パックが搭載されている。その電池パックは、複数の電池セルが配列され且つ導電部材を介して電気的に接続された電池モジュールを備える。この種の車両では、電池モジュールの安定した充放電制御を行うべく、電池セルの電池状態（温度や電圧等）を監視している。保護装置とは、電池状態検出用センサや電線を保護及び保持するものである。その電線は、電池モジュールや保護具の外でコネクタ接続される。下記の特許文献１及び２には、そのような電線と保護装置とに関する技術が開示されている。
【先行技術文献】
【特許文献】
【０００３】
【特許文献１】特開２０１５−２２３０５４号公報
【特許文献２】特開２０１５−５６９１０号公報
【特許文献３】特開２０１４−２３２６５６号公報
【発明の概要】
【発明が解決しようとする課題】
【０００４】
ところで、電池パックにおいては、上記コネクタの誤接続を防ぐことで、生産性や品質を高めることができる。尚、上記の特許文献３には、同一経路で配策されてきた多数の電線を規制リブで２方向に分岐させることによって、それぞれの方向毎に電線及び電圧検出端子の複数の組み合わせを案内する、という技術が開示されている。かかる技術では、分岐後におけるそれぞれの方向毎に複数の電圧検出端子が存在しているので、それぞれの電圧検出端子の誤接続を図るとの視点に立つならば、改善の余地がある。
【０００５】
そこで、本発明は、コネクタの誤接続を抑止することが可能な保護装置を提供することを、その目的とする。
【課題を解決するための手段】
【０００６】
上記目的を達成する為、本発明は、複数の電池セルを備えた電池モジュール毎に設け、前記電池セルの電池状態検出用の電池状態検出センサから引き出された電線を配索し且つ保持する主保護具と、並列配置された隣り合う２つの前記電池モジュールの隣接位置に配置し、前記隣接位置まで配索されてきた前記電線を前記電池モジュールの外方で配索し且つ保持すると共に、前記電線の端末のコネクタの嵌合対象となる相手方コネクタを保持する副保護具と、前記隣接位置に配置し、前記隣接位置まで別経路で配索されてきたそれぞれの前記電線毎に、前記電線の前記相手方コネクタまでの経路を規制する経路規制体と、を備えることを特徴としている。
【０００７】
ここで、前記経路規制体は、前記隣接位置まで別経路で配索されてきたそれぞれの前記電線を各々の端末の前記コネクタの嵌合対象となる前記相手方コネクタに向けてそれぞれ案内すると共に、２つの前記コネクタが自らの嵌合対象とは逆の前記相手方コネクタに嵌合できないようそれぞれの前記電線の経路を規制するように形成することが望ましい。
【０００８】
また、前記経路規制体は、隣り合う２つの前記電池モジュールの配列方向で互いに間隔を空けて対向配置された複数の板状の壁部を有することが望ましい。
【０００９】
また、前記経路規制体は、前記配列方向で隣り合う２つの前記壁部の間に周辺部品の壁体がそれぞれの前記壁部に対して前記配列方向で互いに間隔を空けて対向配置されるように、前記配列方向で隣り合う２つの前記壁部の間の前記間隔を形成することが望ましい。
【００１０】
また、前記電池セルの第１電池状態検出用の第１電池状態検出センサから引き出された第１電線を配索し且つ保持する第１主保護具と、前記電池セルの第２電池状態検出用の第２電池状態検出センサから引き出された第２電線を前記電池モジュールの内方で配索し且つ保持する第２主保護具と、を前記主保護具として備え、前記副保護具は、前記隣接位置で前記電池モジュールから外方に引き出された前記電線としての前記第２電線を前記コネクタと共に前記相手方コネクタまで案内するように成形することが望ましい。
【００１１】
また、隣り合う２つの前記第１主保護具が有する被保持体同士を連結させる連結部材を前記隣接位置に備え、前記経路規制体は、前記連結部材に設けることが望ましい。
【発明の効果】
【００１２】
本発明に係る保護装置は、隣り合う２つの電池モジュールの隣接位置まで別経路で配索されてきたそれぞれの電線毎に、その電線の相手方コネクタまでの経路を規制する経路規制体を備えている。従って、この保護装置は、それぞれのコネクタの相手方コネクタへの誤接続を抑止することができる。
【図面の簡単な説明】
【００１３】
【図１】図１は、電池モジュールに組み付けられた保護装置を示す斜視図である。
【図２】図２は、電池モジュールに組み付けられた保護装置を示す側面図である。
【図３】図３は、電池モジュールに組み付けられた保護装置を示す上面図である。
【図４】図４は、保護装置の分解斜視図である。
【図５】図５は、図１のＡ部拡大図である。
【図６】図６は、電池モジュールを筐体の開口側から見た上面図である。
【図７】図７は、図３のＸ１−Ｘ１線断面図である。
【図８】図８は、図３のＸ２−Ｘ２線断面図である。
【図９】図９は、温度検出具が組み付けられた保護具を別角度から見た斜視図である。
【図１０】図１０は、温度検出具が組み付けられる前の保護具の分解斜視図である。
【図１１】図１１は、温度センサとセンサ保持体とを説明する部分拡大図である。
【図１２】図１２は、図６のＢ部拡大図である。
【図１３】図１３は、図１２のＸ２−Ｘ２線断面図である。
【図１４】図１４は、幹線配索体と幹線カバー体とを説明する部分拡大図である。
【図１５】図１５は、ガイド配索体とガイドカバー体とを説明する部分拡大図である。
【図１６】図１６は、図１１のＣ部拡大図である。
【図１７】図１７は、上層側の経路規制体と第２電線との関係を説明する平面図である。
【図１８】図１８は、下層側の経路規制体と第２電線との関係を説明する平面図である。
【図１９】図１９は、下層側の経路規制体と副保護具との関係を説明する斜視図である。
【発明を実施するための形態】
【００１４】
以下に、本発明に係る保護装置の実施形態を図面に基づいて詳細に説明する。以下においては、本発明に係る保護装置の概要を説明した上で、その保護装置の具体的な実施形態についての説明を行う。尚、その実施形態によりこの発明が限定されるものではない。
【００１５】
本発明に係る保護装置とは、後で詳述するように、電池モジュール毎に電池状態検出具を備える電池パックに設けられ、その電池状態検出具が備える電線を少なくとも保護するものである。その電池パックについて簡単に説明する。
【００１６】
図１から図５の符号１００は、電池パックの一例を示している。電池パック１００は、複数の電池モジュール１１０を備える（図１から図５）。そして、電池モジュール１１０は、少なくとも１組の電池セル群１２０と、電池セル群１２０を収容する筐体１３０と、を備える（図６から図８）。この例示の電池モジュール１１０においては、複数組の電池セル群１２０が筐体１３０に収容されている。例えば、電池パック１００においては、下記の開口１３１ａの向きを合わせて複数の電池モジュール１１０を並列配置させたり、複数の電池モジュール１１０の開口１３１ａの向きを合わせた上で電池モジュール１１０の開口１３１ａ側に他の電池モジュール１１０を積層配置させたりする。この例示の電池パック１００は、並列配置された２つの電池モジュール１１０の組み合わせを少なくとも２組備え、その組み合わせを積層配置している。
【００１７】
電池セル群１２０は、正負それぞれの電極端子（図示略）を有する電池セル１２１（図７及び図８）の集合体であり、配列された複数の電池セル１２１が導電部材１２５（図６から図８）を介して電気的に接続されている。
【００１８】
電池セル１２１は、例えば、直方体状又は円柱状に形成されたセル本体（図示略）を有する。直方体状の電池セル１２１においては、例えば、セル本体の１つの壁面に正負それぞれの電極端子が配置されたり、セル本体の対向配置された２つの壁面に正負それぞれの電極端子が各々配置されたりしている。また、円柱状の電池セル１２１においては、軸線方向における両端に正負それぞれの電極端子が各々配置されている。ここでは、円柱状の電池セル１２１が用いられているものとする。
【００１９】
導電部材１２５は、金属等の導電性材料で成形する。例えば、導電部材１２５は、金属板を母材にして板状に成形されている。この導電部材１２５は、電池セル群１２０を成す複数の電池セル１２１の電極端子同士を電気的に接続させる。例えば、この導電部材１２５と電極端子は、溶接等で互いを物理的且つ電気的に接続させる。
【００２０】
筐体１３０は、合成樹脂等の絶縁性材料で成形する。この例示の筐体１３０は、主体となる収容箱１３１を備える（図１及び図６から図８）。その収容箱１３１は、５つの壁体で略直方体状の箱体として成形されており、略矩形の開口１３１ａを１つ有している（図６から図８）。電池セル群１２０は、その開口１３１ａから収容箱１３１の内方の空間に収容する。
【００２１】
この筐体１３０は、その開口１３１ａの一部を残しつつ開口１３１ａを塞ぐカバー１３２を備える（図１及び図６から図８）。つまり、この筐体１３０においては、カバー１３２で塞がれていない開口１３１ａの一部が露出口１３１ｂになっている（図６及び図８）。この例示のカバー１３２は、略矩形の板状に成形する。そして、露出口１３１ｂは、そのカバー１３２の一辺に沿って配置する。ここでは、電池モジュール１１０の並列配置方向に対して直交する２つの辺部の内の一方に沿うように露出口１３１ｂを配置する。
【００２２】
この筐体１３０においては、開口１３１ａの一部を残しつつ開口１３１ａを塞ぐようにカバー１３２が収容箱１３１に組み付けられる。この筐体１３０には、収容箱１３１とカバー１３２との間に、その組付け状態を保つための保持機構（図示略）が設けられている。
【００２３】
この電池モジュール１１０を備える電池パック１００は、電池セル１２１の状態（所謂電池状態）を検出するための電池状態検出具を備える。電池状態検出具は、電池状態検出用のセンサ（以下、「電池状態検出センサ」という。）と、この電池状態検出センサから引き出された電線と、を備える。この電池状態検出具においては、検出対象となる電池状態に応じた電池状態検出センサが設けられている。この電池状態検出具については、後で詳述する。本発明に係る保護装置は、この電池状態検出具が備える電線を少なくとも保護する。
【００２４】
保護装置は、電池モジュール１１０毎に設けた主保護具を備える。主保護具とは、電池状態検出センサから引き出された電線を少なくとも保護するものであり、その電線を配索し且つ保持する。
【００２５】
更に、保護装置は、並列配置された隣り合う２つの電池モジュール１１０の隣接位置に配置した副保護具を備える。副保護具とは、その隣接位置まで配索されてきた電線を電池モジュール１１０の外方で配索し且つ保持すると共に、電線の端末のコネクタの嵌合対象となる相手方コネクタを保持するものである。
【００２６】
ここで、相手方コネクタは、隣り合う２つの電池モジュール１１０毎に設けられている。また、副保護具は、隣り合う２つの電池モジュール１１０毎に設けてもよく、隣り合う２つの電池モジュール１１０で共用させるものとして設けてもよい。前者の場合、副保護具は、自身が対応する電池モジュール１１０の電線を配索し且つ保持すると共に、この電線の端末のコネクタの嵌合対象となる相手方コネクタを保持する。後者の場合、副保護具は、隣り合う２つの電池モジュール１１０のそれぞれの電線を配索し且つ保持すると共に、それぞれの電線の端末のコネクタの嵌合対象となるそれぞれの相手方コネクタを保持する。この副保護具は、その何れの場合でも、隣り合う２つの電池モジュール１１０の境界部分を中心にして、それぞれの電池モジュール１１０の相手方コネクタが配列方向（隣り合う２つの電池モジュール１１０の配列方向）で略同等の位置で保持されるように形成する。前者の場合には、そのような相手方コネクタの保持位置となるように、それぞれの副保護具を形成する。後者の場合には、そのような相手方コネクタの保持位置となるように副保護具を形成する。後述する具体例では、この後者の場合を例示する。
【００２７】
また更に、保護装置は、隣り合う２つの電池モジュール１１０の隣接位置に配置した経路規制体を備える。経路規制体とは、その隣接位置まで別経路で配索されてきたそれぞれの電線毎に、その電線の相手方コネクタまでの経路を規制するものである。隣接位置まで別経路で配索されてきた電線とは、電池モジュール１１０毎の電池状態検出具が備える電線のことである。保護装置は、この経路規制体を備えることによって、それぞれの電線が有するコネクタの相手方コネクタへの誤接続を抑止することができる。
【００２８】
ここで、経路規制体は、隣り合う２つの電池モジュール１１０の隣接位置まで別経路で配索されてきたそれぞれの電線を各々の端末のコネクタの嵌合対象となる相手方コネクタに向けてそれぞれ案内すると共に、その２つのコネクタが自らの嵌合対象とは逆の相手方コネクタに嵌合できないようそれぞれの電線の経路を規制するように形成することが望ましい。
【００２９】
例えば、経路規制体は、隣接位置まで別経路で配索されてきたそれぞれの電線の内の一方を邪魔して、この一方の電線のコネクタが他方の電線のコネクタの嵌合対象となる相手方コネクタとの嵌合完了位置まで届かないように形成する。更に、この経路規制体は、隣接位置まで別経路で配索されてきたそれぞれの電線の内の他方を邪魔して、この他方の電線のコネクタが一方の電線のコネクタの嵌合対象となる相手方コネクタとの嵌合完了位置まで届かないように形成する。
【００３０】
これにより、保護装置は、隣接位置まで別経路で配索されてきたそれぞれの電線のそれ以降のコネクタまでの長さが略同等であったとしても、経路規制体が電線の邪魔をして、嵌合対象ではない相手方コネクタにコネクタを届かせないので、それぞれのコネクタの相手方コネクタへの誤接続を抑止することができる。また、この保護装置は、それぞれのコネクタが同一品であったとしても、同様の理由により、それぞれのコネクタの相手方コネクタへの誤接続を抑止することができる。
【００３１】
具体的に、経路規制体は、隣り合う２つの電池モジュール１１０の配列方向で互いに間隔を空けて対向配置された複数の板状の壁部を有するように形成することが望ましい。壁部は、その配列方向に対しての直交平面を有する。
【００３２】
例えば、経路規制体が１枚の板状の壁部のみでそれぞれの電線の経路規制を行う場合には、様々な部品の公差と組付け交差の積み上げに伴う壁部の位置ズレによって、電線の所望の経路規制を行えなくなる可能性がある。故に、この場合には、状況如何で、それぞれのコネクタの相手方コネクタへの誤接続の抑止効果が低下してしまう可能性がある。しかしながら、この保護装置は、間隔を空けて対向配置された複数の板状の壁部を経路規制体が有することによって、それぞれの壁部に位置ズレが生じたとしても、１枚の板状の壁部のみの場合と比較して、電線の経路規制に対する影響を低く抑えることができる。よって、この保護装置は、それぞれのコネクタの相手方コネクタへの誤接続を抑止することができる。
【００３３】
また、経路規制体が１枚の可撓性を有する板状の壁部のみでそれぞれの電線の経路規制を行う場合には、先の位置ズレの有無に拘わらず、作業者が電線で壁部を撓ませることで、それぞれのコネクタが相手方コネクタに誤接続されてしまう可能性がある。しかしながら、この保護装置は、間隔を空けて対向配置された複数の板状の壁部を経路規制体が有しているので、それぞれの壁部が可撓性を持っていたとしても、１枚の板状の壁部のみの場合と比較して、電線の経路規制に対する影響を低く抑えることができる。よって、この保護装置は、それぞれのコネクタの相手方コネクタへの誤接続を抑止することができる。
【００３４】
その複数の壁部は、経路規制体だけで構成してもよく、この経路規制体とその周辺部品とで構成してもよい。周辺部品とは、例えば、副保護具のことである。また、この電池パック１００においては、経路規制体の周辺にバスバ等の保護装置以外の部品が存在しているのであれば、その部品を周辺部品として割り当ててもよい。
【００３５】
例えば、経路規制体は、配列方向で隣り合う２つの壁部の間に周辺部品の壁体がそれぞれの壁部に対して配列方向で互いに間隔を空けて対向配置されるように、配列方向で隣り合う２つの壁部の間の間隔を形成する。ここでは、経路規制体の壁部と周辺部品の壁体とが配列方向で互いに間隔を空けて対向配置される。保護装置は、このような周辺部品も利用した構成を採った場合でも、１枚の板状の壁部のみの場合と比較して、電線の経路規制に対する影響を低く抑えることができる。よって、この保護装置は、それぞれのコネクタの相手方コネクタへの誤接続を抑止することができる。
【００３６】
尚、経路規制体が板状の壁部を１枚しか有することができない場合、周辺部品には、配列方向で互いに間隔を空けて対向配置された複数の板状の壁体を設けることが望ましい。この場合、経路規制体は、配列方向で間隔を空けて周辺部品の２つの壁体で壁部を挟み込むことができるように形成する。この場合でも、保護装置は、１枚の板状の壁部のみの場合と比較して、電線の経路規制に対する影響を低く抑えることができる。よって、この保護装置は、それぞれのコネクタの相手方コネクタへの誤接続を抑止することができる。
【００３７】
［実施形態］
以下に、この保護装置の具体的な実施形態についての説明を図１から図１９に基づいて行う。
【００３８】
図１及び図２の符号１は、本実施形態の保護装置を示す。
【００３９】
保護装置１は、２種類の電池状態検出具（第１電池状態検出具、第２電池状態検出具）を保護するものとして構成する。この保護装置１は、第１電池状態検出具を保護する第１主保護具２（図１から図５）と、第２電池状態検出具を保護する第２主保護具３（図８及び図１３）と、を主保護具として備える。第１主保護具２と第２主保護具３は、電池モジュール１１０毎に設けている。
【００４０】
第１電池状態検出具は、第１電池状態検出用の第１電池状態検出センサと、この第１電池状態検出センサから引き出された第１電線と、を備える。第２電池状態検出具は、第２電池状態検出用の第２電池状態検出センサと、この第２電池状態検出センサから引き出された第２電線と、を備える。具体的に、この例示の電池パック１００は、第１電池状態検出具として、電池セル１２１又は電池セル群１２０の温度を検出するための温度検出具１４０（図７及び図９から図１１）を備えている。また、この例示の電池パック１００は、第２電池状態検出具として、電池セル１２１又は電池セル群１２０の電圧を筐体１３０の内方で検出するための電圧検出具１５０（図１、図４、図６及び図１２）を備えている。その温度検出具１４０と電圧検出具１５０は、電池セル１２１の電池状態を監視する電池監視ユニット（図示略）に接続され、この電池監視ユニットに検出情報を送信する。
【００４１】
電池モジュール１１０は、筐体１３０の内方において、電池セル１２１又は電池セル群１２０の所定の場所が他の場所よりも高温になる。故に、電池モジュール１１０においては、その高温になる少なくとも１箇所を温度検出具１４０による測温位置として定める。
【００４２】
温度検出具１４０は、第１電池状態検出センサとして、電池セル１２１又は電池セル群１２０の温度検出用の温度センサ１４１を備える（図７及び図９から図１１）。更に、この温度検出具１４０は、その温度センサ１４１から引き出された２本の第１電線１４２を備える（図７及び図９から図１１）。ここでは、温度の変化を抵抗値の変化に基づき検出するサーミスタを温度センサ１４１として利用する。
【００４３】
温度センサ１４１は、筐体１３０の内方の測温位置まで筐体１３０の外から挿入する。よって、筐体１３０は、その測温位置への温度センサ１４１の挿入が可能なセンサ挿入口１３２ａを有する（図６及び図７）。そのセンサ挿入口１３２ａは、カバー１３２に貫通孔として形成している。この例示では、センサ挿入口１３２ａを略矩形に形成している。温度センサ１４１は、その測温位置で電池セル１２１又は電池セル群１２０の温度を検出する。温度センサ１４１は、測温位置でセンサ本体１４１ａ（図１１）を電池セル１２１に接触させて測温する場合もあれば、測温位置で電池セル１２１の雰囲気温度をセンサ本体１４１ａに測温させる場合もある。
【００４４】
この例示の温度センサ１４１は、センサ本体１４１ａを支える支持部１４１ｂを有しており、かつ、その支持部１４１ｂに被係止部１４１ｃを有している（図１１）。この温度センサ１４１においては、センサ挿入口１３２ａからの挿入方向にて、先端側にセンサ本体１４１ａが配置され、後端側に支持部１４１ｂが配置されている。第１電線１４２は、その支持部１４１ｂから挿入方向とは逆向きに引き出される。被係止部１４１ｃは、温度センサ１４１を第１主保護具２に保持させるために利用する。この被係止部１４１ｃは、挿入方向に対する直交方向に向けて、支持部１４１ｂから爪状の係止体として突出させている。この温度センサ１４１においては、２つの被係止部１４１ｃを対向配置させている。
【００４５】
ここで、先に示したように、電池パック１００においては、開口１３１ａの向きを合わせて複数の電池モジュール１１０を並列配置させたり、複数の電池モジュール１１０の開口１３１ａの向きを合わせた上で電池モジュール１１０の開口１３１ａ側に他の電池モジュール１１０を積層配置させたりする。よって、この電池パック１００においては、同じ構成の電池モジュール１１０を配列したとしても、電池モジュール１１０毎に測温位置が異なる。故に、この電池パック１００においては、電池モジュール１１０毎に温度センサ１４１の設置場所を変える必要がある。
【００４６】
そこで、本実施形態の電池モジュール１１０は、測温位置となり得る全ての場所に温度センサ１４１を設置することができるようにしておく。具体的に、筐体１３０のカバー１３２には、測温位置となり得る全ての場所に対応させてセンサ挿入口１３２ａを形成しておく。これにより、電池パック１００においては、測温位置に拘わらず電池モジュール１１０の共用化が可能になるので、測温位置毎に筐体が異なる電池モジュールを用意せずとも済む。
【００４７】
電圧検出具１５０は、第２電池状態検出センサとして、電池セル１２１又は電池セル群１２０の電圧検出用の電圧検出端子１５１を備える（図６、図８、図１２及び図１３）。更に、この電圧検出具１５０は、その電圧検出端子１５１から引き出された第２電線１５２を備える（図６、図８、図１２及び図１３）。この例示の電圧検出端子１５１は、電池セル群１２０の導電部材１２５に対して電気的に接続させる電気接続部１５１ａと、第２電線１５２の端末に対して電気的に接続させる電線接続部１５１ｂと、を有する（図８及び図１３）。電気接続部１５１ａは、例えば、導電部材１２５に対して溶接等で物理的且つ電気的に接続する。電線接続部１５１ｂは、例えば、加締め等の圧着によって第２電線１５２の端末に対して電気的に接続する。この電圧検出具１５０においては、電圧検出端子１５１を複数箇所に設けており、この電圧検出端子１５１毎に第２電線１５２が設けられている。それぞれの第２電線１５２は、外装部材（図示略）又は保護テープ（図示略）等で一纏めに束ねられて電線群１５３を成している（図６、図８及び図１３）。
【００４８】
この電圧検出具１５０は、筐体１３０の内方にて、収容箱１３１の保持部１３１ｃに保持部材１６０を介して保持される（図８及び図１３）。
【００４９】
保持部１３１ｃは、露出口１３１ｂを開口として有しており、保持部材１６０が載せ置かれる主壁１３１ｃ１と、この主壁１３１ｃ１の両端で互いに間隔を空けて対向配置された側壁１３１ｃ２と、を有する（図８及び図１３）。その主壁１３１ｃ１と２つの側壁１３１ｃ２は、露出口１３１ｂ（カバー１３２の一辺）に沿って延在させる。
【００５０】
保持部材１６０は、その主壁１３１ｃ１と２つの側壁１３１ｃ２とに囲まれた保持部１３１ｃの内方の空間に収容される。この保持部材１６０は、合成樹脂等の絶縁性材料で成形する。この例示の保持部材１６０は、電気接続部１５１ａを突出させつつ電圧検出端子１５１を収容する端子収容部１６１と、電線群１５３の配索経路を規制するガイド部１６２と、を有する（図８及び図１３）。端子収容部１６１は、電圧検出端子１５１毎に設けている。ガイド部１６２は、電線群１５３の配索経路上の複数箇所に設けている。
【００５１】
第１主保護具２について説明する。
【００５２】
第１主保護具２は、合成樹脂等の絶縁性材料で成形する。この第１主保護具２は、温度センサ１４１から引き出された第１電線１４２を配索し且つ保持するものである。この例示の第１主保護具２は、第１電線１４２の他に温度センサ１４１も保持できるように構成する。この第１主保護具２は、温度センサ１４１を保持することが可能なセンサ保持体１０と、第１電線１４２を配索し且つ保持することが可能な電線配索構造体２０と、を備える（図３、図９及び図１０）。この第１主保護具２においては、センサ保持体１０と電線配索構造体２０とを一体成形している。
【００５３】
センサ保持体１０は、センサ挿入口１３２ａを塞ぐ開口閉塞部１１と、温度センサ１４１を保持することが可能で且つセンサ挿入口１３２ａから筐体１３０の内方に挿入されるセンサ保持部１２と、を有する（図１１）。
【００５４】
開口閉塞部１１は、センサ挿入口１３２ａの形状に合わせて形成する。この例示では、略矩形の板状の主体部分を有するように形成している。この開口閉塞部１１は、主体部分における一方の平面１１ａ（図１１）がセンサ挿入口１３２ａとの対向配置面又は合わせ面となるように、そのセンサ挿入口１３２ａを塞ぐ。
【００５５】
センサ保持部１２は、開口閉塞部１１の一方の平面１１ａに立設させる（図１１）。この例示のセンサ保持部１２は、温度センサ１４１の被係止部１４１ｃ毎に設けており、一方の平面１１ａ上で対向配置されている。このセンサ保持部１２は、一方の平面１１ａから互いに間隔を空けて突出させた２つの軸部１２ａと、その２つの軸部１２ａにおける突出方向側の端部同士を繋ぐ係止部１２ｂと、を有する（図１１）。このセンサ保持部１２は、少なくとも軸部１２ａに可撓性を持たせている。
【００５６】
温度センサ１４１は、センサ挿入口１３２ａからの挿入方向とは逆向きにセンサ保持体１０に挿入していく。この温度センサ１４１は、それぞれの被係止部１４１ｃで係止部１２ｂを押動しながらそれぞれのセンサ保持部１２を撓ませる。それぞれのセンサ保持部１２においては、それぞれの被係止部１４１ｃが係止部１２ｂを乗り越えた際に撓みが解消され、温度センサ１４１がセンサ保持体１０から外れないように、それぞれの係止部１２ｂがそれぞれの被係止部１４１ｃに挿入方向で対向配置される。
【００５７】
ここで、先に示したように、この電池パック１００においては、電池モジュール１１０の配列如何で測温位置が変わる。よって、センサ保持体１０は、測温位置となり得る場所毎に設ける。
【００５８】
電線配索構造体２０は、第１電線１４２を配索し且つ保持することが可能な複数の電線配索体を有する。この電線配索構造体２０は、その電線配索体として、幹線を成す幹線配索体２１と、この幹線配索体２１から分岐してセンサ保持体１０に連結させた支線配索体２２と、を有している（図３、図９及び図１０）。幹線配索体２１は、この第１主保護具２の保護対象となる全ての第１電線１４２を配索し且つ保持するものである。その全ての第１電線１４２は、外装部材（図示略）又は保護テープ（図示略）等で一纏めに束ねられている。以下においては、その一纏めに束ねられた全ての第１電線１４２のことを電線群１４３と称する。一方、支線配索体２２は、自らが繋がるセンサ保持体１０に保持されている温度センサ１４１の第１電線１４２を配索し且つ保持するものである。更に、電線配索構造体２０は、幹線配索体２１に配索及び保持されている電線群１４３を電池監視ユニットに向けて案内するガイド配索体２３を備えている（図３、図９及び図１０）。
【００５９】
幹線配索体２１は、カバー１３２の一辺に沿わせて配置する。ここでは、電池モジュール１１０の並列配置方向に対して直交する２つの辺部の内の一方に沿って幹線配索体２１を配置する。この幹線配索体２１は、そのカバー１３２の一辺よりも長尺の直線状に形成し、両端を電池モジュール１１０から突出させるように配置する。
【００６０】
幹線配索体２１は、開口１３１ａに対向配置される主壁２１ａと、この主壁２１ａの延在方向に沿うように主壁２１ａの両端から各々突出させた側壁２１ｂと、を有する（図１４）。この幹線配索体２１は、その主壁２１ａと２つの側壁２１ｂとで囲まれた内方の空間に沿って電線群１４３を配索及び保持する。この幹線配索体２１においては、２つの側壁２１ｂにおける突出方向側の端部の間の開口が電線挿入口２１ｃとなり（図１４）、その電線挿入口２１ｃから電線群１４３が挿入される。
【００６１】
この幹線配索体２１には、その配索された電線群１４３を保持するための保持部２１ｄを設けている（図１４）。その保持部２１ｄは、電線挿入口２１ｃに設けている。この保持部２１ｄは、２つの側壁２１ｂの内の一方から他方に向けて突出させた片持ちの片体として形成している。この保持部２１ｄは、自由端と他方の側壁２１ｂとの間の隙間が電線群１４３の径方向における最小の大きさよりも狭くなるように形成する。その隙間は、電線群１４３の電線挿入口２１ｃからの押し込み挿入を可能にすると共に外力無しでの電線群１４３の挿通が不能になるように設定する。また、保持部２１ｄやその周辺の２つの側壁２１ｂは、電線群１４３の押し込み挿入を行い易くするために、可撓性を持たせてもよい。保持部２１ｄの数量は、幹線配索体２１の長さに応じて決める。この例示では、複数箇所に保持部２１ｄを設けている。
【００６２】
ガイド配索体２３は、幹線配索体２１の端部から直交方向に延在させる。この電線配索構造体２０においては、幹線配索体２１の両端から各々ガイド配索体２３を同一方向に向けて突出させている。ここでは、それぞれのガイド配索体２３が電池モジュール１１０の並列配置方向に沿って延在している。このガイド配索体２３は、幹線配索体２１と同様の主壁２３ａと２つの側壁２３ｂと電線挿入口２３ｃと保持部２３ｄとを有している（図１５）。このガイド配索体２３の内方の空間は、幹線配索体２１の内方の空間に連通している。
【００６３】
この第１主保護具２は、その幹線配索体２１の電線挿入口２１ｃと２つのガイド配索体２３の電線挿入口２３ｃとを一纏めに塞ぐ第１電線カバー３０を備える（図８から図１０、図１４及び図１５）。第１電線カバー３０は、合成樹脂等の絶縁性材料で成形する。この第１電線カバー３０は、幹線配索体２１の電線挿入口２１ｃの全体を塞ぐ幹線カバー体３１と、ガイド配索体２３の電線挿入口２３ｃの全体又は一部を塞ぐガイドカバー体３２と、を有する（図９及び図１０）。ガイドカバー体３２は、ガイド配索体２３毎に設けている。
【００６４】
幹線配索体２１と幹線カバー体３１は、幹線配索体２１の側壁２１ｂに設けた爪状の被係止部２１ｅと、幹線カバー体３１に設け、電線挿入口２１ｃの閉塞状態で被係止部２１ｅに引っ掛ける係止片３１ａと、を用いた保持機構で互いに保持する（図１４）。この保持機構は、複数箇所に設けている。また、ガイド配索体２３とガイドカバー体３２は、ガイド配索体２３の側壁２３ｂに設けた爪状の被係止部２３ｅと、ガイドカバー体３２に設け、電線挿入口２３ｃの閉塞状態で被係止部２３ｅに引っ掛ける係止片３２ａと、を用いた保持機構で互いに保持する（図１５）。この保持機構は、複数箇所に設けている。
【００６５】
支線配索体２２は、１つのセンサ保持体１０に連結させるものであってもよく、複数のセンサ保持体１０に連結させるものであってもよい。この支線配索体２２は、幹線配索体２１とセンサ保持体１０との間の形状が如何様なものであってもよい。この例示では、１つのセンサ保持体１０に連結させる支線配索体２２Ａを直線状に形成し、２つのセンサ保持体１０に連結させる支線配索体２２ＢをＹ字状に形成している（図３、図９及び図１０）。
【００６６】
支線配索体２２は、開口１３１ａに対向配置される主壁２２ａと、この主壁２２ａの延在方向に沿うように主壁２２ａの両端から各々突出させた側壁２２ｂと、を有する（図１１）。更に、この支線配索体２２は、２つの側壁２２ｂの間をこれらの延在方向に沿って間仕切りする仕切り壁２２ｃを有する（図１１）。支線配索体２２Ａ，２２Ｂにおいては、一方の側壁２２ｂと仕切り壁２２ｃとにおける突出方向側の端部の間の開口及び他方の側壁２２ｂと仕切り壁２２ｃとにおける突出方向側の端部の間の開口が各々電線挿入口２２ｄとなる（図１１）。この支線配索体２２Ａ，２２Ｂにおいては、一方の電線挿入口２２ｄから温度センサ１４１の一方の第１電線１４２が挿入され、他方の電線挿入口２２ｄから温度センサ１４１の他方の第１電線１４２が挿入される。
【００６７】
この支線配索体２２Ａ，２２Ｂには、その配索された第１電線１４２を保持するための保持部２２ｅを設けている（図１６）。その保持部２２ｅは、それぞれの電線挿入口２２ｄに設けている。一方の保持部２２ｅは、仕切り壁２２ｃから一方の側壁２２ｂに向けて突出させた片持ちの爪状の係止体として形成している。他方の保持部２２ｅは、仕切り壁２２ｃから他方の側壁２２ｂに向けて突出させた片持ちの爪状の係止体として形成している。それぞれの保持部２２ｅは、自由端と側壁２２ｂとの間の隙間が第１電線１４２の径方向における最小の大きさよりも狭くなるように形成する。その隙間は、第１電線１４２の電線挿入口２２ｄからの押し込み挿入を可能にすると共に外力無しでの第１電線１４２の挿通が不能になるように設定する。保持部２２ｅの数量は、支線配索体２２Ａ，２２Ｂの長さに応じて決める。この例示では、複数箇所に保持部２２ｅを設けている。
【００６８】
この第１主保護具２においては、複数の支線配索体２２の内の少なくとも１つに第１電線１４２が配索及び保持される。第１主保護具２は、その第１電線１４２が配索及び保持されている支線配索体２２の電線挿入口２２ｄを塞ぐ第２電線カバー４０を備える（図９から図１１）。第２電線カバー４０は、合成樹脂等の絶縁性材料で成形する。この第２電線カバー４０は、支線配索体２２の電線挿入口２２ｄの全体又は一部を塞ぐことができるように形成する。ここでは、それぞれの支線配索体２２Ａ，２２Ｂで共用可能な第２電線カバー４０を形成する。故に、この例示の第２電線カバー４０は、支線配索体２２Ａ，２２Ｂの直線部分における電線挿入口２２ｄを塞ぐように直線状に形成する。この第２電線カバー４０は、支線配索体２２Ａ，２２Ｂの複数箇所の直線部分に各々取り付ける。
【００６９】
支線配索体２２と第２電線カバー４０は、支線配索体２２の側壁２２ｂに設けた爪状の被係止部２２ｆと、第２電線カバー４０に設け、２つの電線挿入口２２ｄを閉塞させている状態で被係止部２２ｆに引っ掛ける係止部４１と、を用いた保持機構で互いに保持する（図１１）。この保持機構は、複数箇所に設けている。この例示では、どの支線配索体２２に第１電線１４２が配策されたとしても第２電線カバー４０を取り付けることができるように、それぞれの支線配索体２２Ａ，２２Ｂの直線部分に被係止部２２ｆを設けている。
【００７０】
このように構成している第１主保護具２は、温度センサ１４１とセンサ保持部１２を筐体１３０のカバー１３２のセンサ挿入口１３２ａから挿入しつつ、そのカバー１３２に載せ置かれた状態で筐体１３０に保持される。尚、カバー１３２は、平面上に第１主保護具２を載せ置くものであってもよく、第１主保護具２を溝に嵌め込んで載せ置くものであってもよい。この例示のカバー１３２は、第１主保護具２の支線配索体２２の形状に沿う溝１３２ｂ（図６）を形成しており、その溝１３２ｂにそれぞれの支線配索体２２が嵌め込まれる。
【００７１】
先に示したように、電池モジュール１１０においては、筐体１３０に露出口１３１ｂが存在している。本実施形態の第１主保護具２は、その露出口１３１ｂを塞ぐカバーとしても利用できるように構成する。この例示では、第１主保護具２を電池モジュール１１０に組み付けるだけで、露出口１３１ｂを塞ぐことができるように構成する。
【００７２】
そこで、ここでは、電線配索構造体２０を用いて露出口１３１ｂを塞ぐ。よって、その電線配索構造体２０は、露出口１３１ｂを塞ぐように形成する。この例示の電線配索構造体２０においては、その露出口１３１ｂを塞ぐように幹線配索体２１を形成及び配置する（図８）。具体的には、その幹線配索体２１の電線挿入口２１ｃを塞ぐ第１電線カバー３０の幹線カバー体３１に、露出口１３１ｂを塞ぐカバーとしての機能を持たせる。幹線配索体２１と幹線カバー体３１は、露出口１３１ｂをその周縁部と共に覆うように形成及び配置されたものであってもよく、露出口１３１ｂから収容箱１３１の保持部１３１ｃに嵌め込まれるように形成及び配置されたものであってもよい。ここでは、後者を例示している。この第１主保護具２は、幹線配索体２１と幹線カバー体３１とを保持部１３１ｃに嵌め込むと共に、支線配索体２２を溝１３２ｂに嵌め込んで、電池モジュール１１０からの突出量を抑えることができるので、電池パック１００の体格の大型化を抑えることができる。
【００７３】
ところで、並列配置方向で隣り合う２つの電池モジュール１１０においては、その並列配置方向でそれぞれの第１主保護具２が隣り合わせに配置されている。その隣り合う２つの第１主保護具２は、それぞれの電線配索構造体２０同士を連結させている。保護装置１には、それぞれの電線配索構造体２０が有する被保持体２４（図２、図５、図９及び図１０）同士を連結させる連結部材５０が設けられている（図１から図５）。連結部材５０は、合成樹脂等の絶縁性材料で成形する。
【００７４】
例えば、第１主保護具２は、複数の電池モジュール１１０が並列配置される場合、第１電線１４２（電線群１４３）を外方に引き出して電池監視ユニット側に導くもの（第１主保護具２Ａ）と、それ以外のもの（第１主保護具２Ｂ）と、に大別することができる（図１から図５）。それぞれの第１主保護具２Ａ，２Ｂにおいては、ガイド配索体２３の形状を一部変えている。
【００７５】
第１主保護具２Ａのそれぞれのガイド配索体２３Ａ（図３、図５、図９及び図１０）は、各々、突出方向側の端部を第１電線１４２（電線群１４３）の保持部２３Ａ１（図９）として形成している。この例示の保持部２３Ａ１は、２つの片体でＬ字状に形成し、第１電線１４２（電線群１４３）と共に結束バンド６１で巻き付けられている。第１電線１４２（電線群１４３）は、その保持部２３Ａ１から外方に引き出されて、電池監視ユニット側に導かれる。故に、このガイド配索体２３Ａにおいては、その保持部２３Ａ１側の端部で隣の第１主保護具２に連結されることはない。よって、このガイド配索体２３Ａにおいては、その保持部２３Ａ１側の端部とは逆側の端部のみに被保持体２４を設けている。
【００７６】
一方、第１主保護具２Ｂのそれぞれのガイド配索体２３Ｂ（図２及び図３）は、その両端で隣の第１主保護具２に連結される可能性がある。よって、このガイド配索体２３Ｂにおいては、両端に被保持体２４を設けている（図２）。
【００７７】
この第１主保護具２Ｂにおいては、自らの幹線配索体２１の第１電線１４２（電線群１４３）が、自らのガイド配索体２３Ｂを介して、隣の第１主保護具２Ａのガイド配索体２３Ａ又は隣の第１主保護具２Ｂのガイド配索体２３Ｂに案内される。
【００７８】
被保持体２４は、ガイド配索体２３の端部に設けている。隣り合う２つの第１主保護具２においては、その配列方向（以下、「第１方向」という。）Ｄ１に沿って各々の被保持体２４が並べて配置されている（図２及び図５）。一方、連結部材５０は、第１方向Ｄ１に沿って並ぶ２つの被保持体２４毎に設け、その被保持体２４との間で相互に保持し合うことが可能な保持体５１と、２つの保持体５１を連結させる連結体５２と、を有している（図２及び図５）。被保持体２４と保持体５１は、相互に保持し合うことが可能なものであれば、如何様な形状のものであってもよい。例えば、被保持体２４と保持体５１は、各々が有する爪等の係止部同士を係止可能な状態にしておくことで、互いを保持状態にする。
【００７９】
この例示の保護装置１は、２種類の連結部材５０（連結部材５０Ａ，５０Ｂ）を備えている（図１、図３及び図４）。隣り合う２つの第１主保護具２は、それぞれの幹線配索体２１の延在方向における一端側を一方の連結部材５０Ａで連結し、それぞれの幹線配索体２１の延在方向における他端側を他方の連結部材５０Ｂで連結する。それぞれの連結部材５０Ａ，５０Ｂは、保持体５１の形状が同一である一方、各々の連結体５２の形状を変えている。
【００８０】
ここで、先に示した保持部１３１ｃと保持部材１６０は、電圧検出端子１５１から引き出された第２電線１５２（電線群１５３）を電池モジュール１１０の内方で配索し且つ保持している。故に、この電池パック１００においては、その保持部１３１ｃと保持部材１６０とが電圧検出具１５０の第２主保護具３となる。
【００８１】
並列配置された隣り合う２つの電池モジュール１１０においては、各々の第２電線１５２（電線群１５３）を２つの電池モジュール１１０の隣接位置で露出口１３１ｂ（カバー１３２の一辺）に沿って延在させている。つまり、それぞれの第２電線１５２（電線群１５３）は、それぞれの電池モジュール１１０の隣接位置で並列配置されている。その第２電線１５２（電線群１５３）と露出口１３１ｂ（カバー１３２の一辺）の延在方向は、先の第１方向Ｄ１に対する直交方向である。以下においては、その延在方向を第２方向Ｄ２と称する。また、並列配置された２つの電池モジュール１１０の組み合わせの積層方向は、その第１方向Ｄ１と第２方向Ｄ２とに対する直交方向である。以下においては、その積層方向を第３方向Ｄ３と称する。
【００８２】
それぞれの第２電線１５２（電線群１５３）は、隣り合う２つの電池モジュール１１０の隣接位置で各々の電池モジュール１１０の外方に引き出される（図６）。それぞれの第２電線１５２（電線群１５３）は、それぞれの電池モジュール１１０の筐体１３０から各々同じ向きに引き出されている。それぞれの第２電線１５２（電線群１５３）は、筐体１３０の外方で略同等の長さとなっている。
【００８３】
それぞれの第２電線１５２（電線群１５３）の端末には、コネクタ１５４が物理的且つ電気的に接続されている（図２、図３、図５及び図６）。そのコネクタ１５４は、相手方コネクタ１７０との間で嵌合固定される（図２、図３及び図５）。それぞれの第２電線１５２（電線群１５３）は、嵌合固定されたコネクタ１５４と相手方コネクタ１７０とを介して電池監視ユニットに接続される。
【００８４】
保護装置１は、並列配置された隣り合う２つの電池モジュール１１０の隣接位置で、かつ、それぞれの第２電線１５２（電線群１５３）の電池モジュール１１０の筐体１３０からの引き出し位置に副保護具４を備える（図１から図５）。副保護具４は、合成樹脂等の絶縁性材料で成形する。この副保護具４は、電池モジュール１１０に螺子止め等で固定する。
【００８５】
副保護具４は、隣接位置まで配索されてきた第２電線１５２（電線群１５３）を電池モジュール１１０の外方で配索し且つ保持すると共に、その第２電線１５２（電線群１５３）の端末のコネクタ１５４の嵌合対象となる相手方コネクタ１７０を保持するものである。この例示の副保護具４は、隣接位置まで別経路で配索されてきたそれぞれの第２電線１５２（電線群１５３）を電池モジュール１１０の外方で配索し且つ保持すると共に、それぞれの第２電線１５２（電線群１５３）の端末のコネクタ１５４の嵌合対象となる相手方コネクタ１７０を各々保持する。
【００８６】
この保護装置１においては、並列配置された２つの電池モジュール１１０の組み合わせの内の一方に副保護具４を設ける。この例示では、下層側の電池モジュール１１０の組み合わせに対して副保護具４を設けている。
【００８７】
副保護具４は、隣接位置で電池モジュール１１０から外方に引き出された第２電線１５２（電線群１５３）をコネクタ１５４と共に相手方コネクタ１７０まで案内するように成形する。この例示の副保護具４は、隣接位置でそれぞれの電池モジュール１１０から外方に引き出された第２電線１５２（電線群１５３）をコネクタ１５４と共に相手方コネクタ１７０まで各々案内するように成形する。更に、この例示の副保護具４は、下層側の電池モジュール１１０の第２電線１５２（電線群１５３）を案内するように成形する。
【００８８】
例えば、この副保護具４は、一方の第２電線１５２（電線群１５３）を案内する第１通路７１Ａと、他方の第２電線１５２（電線群１５３）を案内する第２通路７１Ｂと、を有する（図２、図３及び図５）。第１通路７１Ａと第２通路７１Ｂは、隣り合う２つの電池モジュール１１０の境界部分を中心とする第１方向Ｄ１の対称位置に各々配置する。また、第１通路７１Ａと第２通路７１Ｂは、各々、第２電線１５２（電線群１５３）を第３方向Ｄ３で且つ上層側に向けて案内するように形成する。この例示の副保護具４は、第１通路７１Ａの壁面の一部を成す開閉自在な蓋部７２Ａと、第２通路７１Ｂの壁面の一部を成す開閉自在な蓋部７２Ｂと、を有している（図２、図３及び図５）。一方の第２電線１５２（電線群１５３）は、蓋部７２Ａを開状態にして第１通路７１Ａの中に配置し、その後、蓋部７２Ａを閉状態にして第１通路７１Ａの中に止めさせる。他方の第２電線１５２（電線群１５３）は、蓋部７２Ｂを開状態にして第２通路７１Ｂの中に配置し、その後、蓋部７２Ｂを閉状態にして第２通路７１Ｂの中に止めさせる。
【００８９】
更に、この例示の副保護具４は、上層側と下層側のそれぞれの第２電線１５２（電線群１５３）のコネクタ１５４の嵌合対象となる全ての相手方コネクタ１７０を各々保持させるように成形する（図２及び図５）。上層側のそれぞれのコネクタ１５４の嵌合対象となる相手方コネクタ１７０は、隣り合う２つの電池モジュール１１０の境界部分を中心とする第１方向Ｄ１の対称位置に各々配置する。これと同様に、下層側のそれぞれのコネクタ１５４の嵌合対象となる相手方コネクタ１７０は、隣り合う２つの電池モジュール１１０の境界部分を中心とする第１方向Ｄ１の対称位置に各々配置する。ここでは、上層側のそれぞれの相手方コネクタ１７０と下層側のそれぞれの相手方コネクタ１７０を第３方向Ｄ３で並べて配置している。
【００９０】
ところで、先に示した連結部材５０Ａは、並列配置された隣り合う２つの電池モジュール１１０の隣接位置で、かつ、それぞれの第２電線１５２（電線群１５３）の電池モジュール１１０の筐体１３０からの引き出し位置に配置している。そこで、この例示では、その連結部材５０Ａに経路規制体８０を設ける（図２、図３、図５、図１７及び図１８）。ここでは、連結部材５０Ａの連結体５２を経路規制体８０として形成している。
【００９１】
経路規制体８０は、それぞれの第２電線１５２（電線群１５３）の筐体１３０からの引き出し位置の間に配置する。この例示の経路規制体８０は、第１方向Ｄ１で互いに間隔を空けて対向配置された２枚の矩形の板状の壁部８１，８２を有する（図２、図３、図５、図１７及び図１８）。それぞれの壁部８１，８２は、隣り合う２つの電池モジュール１１０の境界部分を中心とする第１方向Ｄ１の対称位置に各々配置する。一方の壁部８１は、それぞれの第２電線１５２（電線群１５３）の筐体１３０からの引き出し位置の間で、かつ、一方の第２電線１５２（電線群１５３）の筐体１３０からの引き出しを阻害しない範囲内で当該一方の第２電線１５２（電線群１５３）の引き出し位置の近傍に配置する。他方の壁部８２は、それぞれの第２電線１５２（電線群１５３）の筐体１３０からの引き出し位置の間で、かつ、他方の第２電線１５２（電線群１５３）の筐体１３０からの引き出しを阻害しない範囲内で当該他方の第２電線１５２（電線群１５３）の引き出し位置の近傍に配置する。
【００９２】
更に、下層側の経路規制体８０については、副保護具４を先に示した周辺部品として利用する。よって、この例示の副保護具４には、それぞれの壁部８１，８２の間でそれぞれの壁部８１，８２に対して第１方向Ｄ１で互いに間隔を空けて対向配置される壁体７３を設けている（図１９）。この例示の壁体７３は、矩形の板状に形成されている。
【００９３】
以上示したように、本実施形態の保護装置１は、先に示したが如く、それぞれのコネクタ１５４の相手方コネクタ１７０への誤接続を抑止することができる。
【００９４】
ここで、この例示の副保護具４には、それぞれの壁部８１，８２で経路規制され且つ案内されてきたそれぞれの第２電線１５２（電線群１５３）について、補助的に更に経路規制し且つ案内する壁部（以下、「補助壁部」という。）７４Ａ，７４Ｂが設けられている（図２、図５及び図１９）。一方の補助壁部７４Ａは、一方の壁部８１で経路規制され且つ案内されてきた一方の第２電線１５２（電線群１５３）を第１通路７１Ａまで案内させるべく、その第２電線１５２（電線群１５３）の配索経路上で一方の壁部８１と第１通路７１Ａとの間に形成する。また、他方の補助壁部７４Ｂは、他方の壁部８２で経路規制され且つ案内されてきた他方の第２電線１５２（電線群１５３）を第２通路７１Ｂまで案内させるべく、その第２電線１５２（電線群１５３）の配索経路上で他方の壁部８２と第２通路７１Ｂとの間に形成する。それぞれの補助壁部７４Ａ，７４Ｂは、第１方向Ｄ１で互いに間隔を空けて対向配置されている。これにより、本実施形態の保護装置１は、それぞれのコネクタ１５４の相手方コネクタ１７０への誤接続を更に抑止することができる。
【符号の説明】
【００９５】
１  保護装置
２，２Ａ，２Ｂ  第１主保護具
４  副保護具
２４  被保持体
５０，５０Ａ，５０Ｂ  連結部材
５２  連結体
７１Ａ  第１通路
７１Ｂ  第２通路
７３  壁体
８０  経路規制体
８１，８２  壁部
１１０  電池モジュール
１２１  電池セル
１３１ｃ  保持部（第２主保護具）
１４１  温度センサ（第１電池状態検出センサ）
１４２  第１電線（電線）
１５１  電圧検出端子（第２電池状態検出センサ）
１５２  第２電線（電線）
１５４  コネクタ
１６０  保持部材（第２主保護具）
１７０  相手方コネクタ
【図１】
2019213377.tif 000003
【図２】
2019213377.tif 000004
【図３】
2019213377.tif 000005
【図４】
2019213377.tif 000006
【図５】
2019213377.tif 000007
【図６】
2019213377.tif 000008
【図７】
2019213377.tif 000009
【図８】
2019213377.tif 000010
【図９】
2019213377.tif 000011
【図１０】
2019213377.tif 000012
【図１１】
2019213377.tif 000013
【図１２】
2019213377.tif 000014
【図１３】
2019213377.tif 000015
【図１４】
2019213377.tif 000016
【図１５】
2019213377.tif 000017
【図１６】
2019213377.tif 000018
【図１７】
2019213377.tif 000019
【図１８】
2019213377.tif 000020
【図１９】
2019213377.tif 000021